(57)【要約】  【課題】  制御チャネルを使用した交換機内の回線状態しか認識することができない。  【解決手段】  端末装置３との通信インタフェースを司る端末制御装置４と、この端末制御装置を収容接続する交換機２とを有し、この交換機は、ＴＳＷ９と、ＴＳＷを切替制御すると共に、交換機内の回線状態を監視し、この監視結果を保守データとしてＭＭ１０に記憶するＣＣ１１とを有する保守監視システム１であって、ＴＳＷに切替接続される保守装置８と、この保守装置とＬＡＮ接続する監視サーバ１２とを有し、保守装置は、ＴＳＷを経由して端末制御装置と通信接続する端末側インタフェース２２と、端末装置に対する監視サーバからの試験コマンドを検出すると、端末側インタフェースを通じて端末制御装置経由で制御チャネル及び通話チャネルを使用した通常通信を実行し、この通信結果を試験結果データとして監視サーバに伝送する保守側ＣＰＵ２５とを有するようにした。【選択図】  図１
2006140895.tif 000002
【特許請求の範囲】
【請求項１】
端末装置との通信インタフェースを司る端末制御装置と、この端末制御装置を収容接続する交換機とを有し、この交換機は、前記端末制御装置を切替接続する通話路スイッチと、この通話路スイッチを切替制御すると共に、前記交換機内の回線状態を監視し、この監視結果を保守データとして記憶する制御装置とを有する保守監視システムであって、
前記通話路スイッチに切替接続される保守装置と、この保守装置と通信接続する監視サーバとを有し、
前記保守装置は、
前記通話路スイッチを経由して、前記端末制御装置と通信接続する端末側インタフェースと、
前記端末装置に対する前記監視サーバからの試験コマンドを検出すると、前記端末側インタフェースを通じて前記端末制御装置経由で前記端末装置と通信接続することで制御チャネル及び通話チャネルを使用した通常通信を実行し、この通信結果を試験結果データとして前記監視サーバに伝送する保守側制御手段とを有することを特徴とする保守監視システム。
【請求項２】
前記通話路スイッチに切替接続され、対向側交換機と接続する中継線との通信インタフェースを司る中継線制御装置を有し、
前記保守装置は、
前記通話路スイッチを経由して、前記中継線制御装置と通信接続する端末側インタフェースを有し、
前記保守側制御手段は、
前記対向側交換機に対する前記監視サーバからの試験コマンドを検出すると、前記端末側インタフェースを通じて前記中継線制御装置及び前記中継線経由で前記対向側交換機と通信接続することで制御チャネル及び通話チャネルを使用した通常通信を実行し、この通信結果を試験結果データとして前記監視サーバに伝送することを特徴とする請求項２記載の保守監視システム。
【請求項３】
前記保守装置は、
前記通話路スイッチを経由して、前記制御装置と通信接続する制御装置側インタフェースを有し、
前記保守側制御手段は、
前記監視サーバからの保守要求コマンドを検出すると、前記制御装置側インタフェースを通じて前記制御装置と通信接続し、前記制御装置から前記保守データを収集し、この収集した保守データを前記監視サーバに伝送する保守側制御手段とを有することを特徴とする請求項１又は２記載の保守監視システム。
【請求項４】
中継線を通じて複数の交換機同士を接続し、各交換機は、他の交換機と接続する中継線との通信インタフェースを司る中継線制御装置を切替接続する通話路スイッチと、この通話路スイッチを切替制御する制御装置とを有し、各交換機同士の通信を所定の通信経路で実行する通信システムであって、
交換機毎に配置され、この交換機内の通話路スイッチに切替接続される保守装置と、各交換機の保守装置と通信接続する監視サーバとを有し、
前記保守装置は、
前記通話路スイッチを経由して、前記中継線制御装置と通信接続する端末側インタフェースと、
前記中継線制御装置の中継線に接続する対向側交換機に対する前記監視サーバからの試験コマンドを検出すると、前記端末側インタフェースを通じて前記中継線制御装置及び前記中継線経由で前記対向側交換機と通信接続することで制御チャネル及び通話チャネルを使用した通常通信を実行し、この通信結果を試験結果データとして監視サーバに伝送する保守側制御手段とを有し、
前記監視サーバは、
各保守装置からの試験結果データを収集すると、これら収集した試験結果データに基づき、交換機同士の通信経路の障害を検出したか否か判定する障害判定手段と、
この障害判定手段にて交換機同士の通信経路の障害を検出したと判定されると、同障害を検出した通信経路を閉塞すべく、前記保守装置を通じて同交換機内の制御装置に閉塞コマンドを伝送するサーバ側制御手段とを有することを特徴とする通信システム。
【請求項５】
中継線を通じて複数の交換機同士を接続し、各交換機は、他の交換機と接続する中継線との通信インタフェースを司る中継線制御装置を切替接続する通話路スイッチと、この通話路スイッチを切替制御すると共に、前記中継線制御装置及び前記中継線間の回線状態を監視し、この監視結果を保守データとして記憶する制御装置とを有し、各交換機同士の通信を所定の通信経路で実行する通信システムであって、
交換機毎に配置され、同交換機内の通話路スイッチに切替接続される保守装置と、各交換機の保守装置と通信接続する監視サーバとを有し、
前記保守装置は、
前記通話路スイッチを経由して、前記制御装置と通信接続する制御装置側インタフェースと、
前記監視サーバからの保守要求コマンドを検出すると、前記制御装置側インタフェースを通じて前記制御装置と通信接続し、前記制御装置から前記保守データを収集し、この収集した保守データを前記監視サーバに伝送する制御手段とを有し、
前記監視サーバは、
各交換機の保守装置からの保守データを収集すると、これら収集した保守データに基づき、交換機同士の通信経路の障害を検出したか否か判定する障害判定手段と、
この障害判定手段にて交換機同士の通信経路の障害を検出したと判定されると、同障害を検出した通信経路を閉塞すべく、前記保守装置を通じて同交換機内の制御装置に閉塞コマンドを伝送するサーバ側制御手段とを有することを特徴とする通信システム。
【請求項６】
前記サーバ側制御手段は、
前記障害判定手段にて交換機同士の通信経路の障害を検出したと判定されると、同障害を検出した通信経路の迂回路を探索し、この探索結果に基づき、この迂回路を同交換機同士の通信経路として設定すべく、前記保守装置を通じて各交換機の制御装置に迂回路設定コマンドを伝送することを特徴とする請求項４又は５記載の通信システム。
【請求項７】
前記サーバ側制御手段は、
交換機同士の通信経路毎に迂回路を予め記憶管理した迂回路記憶手段と、
前記障害判定手段にて交換機同士の通信経路の障害を検出したと判定されると、この障害を検出した通信経路に対応する迂回路を前記迂回路記憶手段から探索する迂回路探索手段とを有することを特徴とする請求項６記載の通信システム。
【発明の詳細な説明】
【技術分野】
【０００１】
本発明は、例えば電話機等の端末装置との通信インタフェースを司る端末制御装置と、この端末制御装置を収容接続する交換機とを有し、前記交換機内の回線状態を監視し、この監視結果を保守データとして交換機側で記憶管理する保守監視システム及び通信システムに関する。
【背景技術】
【０００２】
従来、このような保守監視システムとしては、複数の交換機同士をＬＡＮ接続し、複数の交換機の内、一の交換機内の中央制御装置に保守端末装置を接続し、同保守端末装置は、この交換機の中央制御装置を通じて、ＬＡＮ経由で他の交換機に対する各種の通信サービス設定や保守設定変更のための保守制御データの送受信を実行するようにしたものが知られている(例えば特許文献１参照)。
【０００３】
図３は従来の保守監視システム内部の概略構成を示すブロック図である。
【０００４】
図３に示す保守監視システム１００は、複数の電話機等の端末装置１０１を収容接続する交換機１０２と、この交換機１０２とＬＡＮ１０３経由で接続し、交換機１０２内の保守データを監視する監視サーバ１０４とを有し、交換機１０２は、端末装置１０１との通信インタフェースを司る端末制御装置１０５と、対向側交換機と接続する中継線１０６との通信インタフェースを司る中継線制御装置１０７と、これら端末制御装置１０５及び中継線制御装置１０７を切替接続する通話路スイッチ(以下、単にＴＳＷと称する)１０８と、交換機１０２内の各種プログラムを記憶管理する記憶装置(以下、単にＭＭと称する)１０９と、この交換機１０２全体を制御する中央制御装置(以下、単にＣＣと称する)１１０と、このＣＣ１１０とＬＡＮ接続するための通信インタフェースを司るＩＰ変換装置１１１とを有している。
【０００５】
端末制御装置１０５は、制御チャネルを使用して端末装置１０１との回線状態を監視するものである。また、中継線制御装置１０７は、制御チャネルを使用して中継線１０６との回線状態を監視するものである。
【０００６】
ＣＣ１１０は、制御チャネルを使用して端末制御装置１０５との回線状態及び、中継線制御装置１０７との回線状態を監視し、その監視結果を取得すると共に、端末制御装置１０５を通じて端末装置１０１との回線状態の監視結果及び、中継線制御装置１０７を通じて中継線１０６との回線状態の監視結果を収集し、これら監視結果を、交換機１０２内の保守データとしてＭＭ１０９に記憶管理するものである。
【０００７】
また、監視サーバ１０４は、交換機１０２内の保守データを取得する場合、ＬＡＮ１０３及びＩＰ変換装置１１１経由で交換機１０２内のＣＣ１１０に直接アクセスし、ＭＭ１０９に記憶中の交換機１０２内の保守データを取得するものである。
【０００８】
従来の保守監視システム１００によれば、ＣＣ１１０にて端末制御装置１０５との回線状態、中継線制御装置１０７との回線状態の監視結果を収集すると共に、端末制御装置１０５を通じて端末装置１０１との回線状態及び、中継線制御装置１０７を通じて中継線１０６との回線状態の監視結果を収集し、これら収集した監視結果を保守データとしてＭＭ１０９に一括管理し、監視サーバ１０４は、ＬＡＮ１０３経由で交換機１０２内のＭＭ１０９に記憶中の保守データを取得できるようにしたので、監視サーバ１０４側では、遠隔で交換機１０２内の保守データを把握することができる。
【特許文献１】特開２００３−２８４１０７号公報(図１及び要約書参照)
【発明の開示】
【発明が解決しようとする課題】
【０００９】
しかしながら、上記従来の保守監視システム１００によれば、制御チャネルを使用して端末装置１０１との回線状態を端末制御装置１０５側で試験監視し、これら端末装置１０１及び端末制御装置１０５間の回線状態をＣＣ１１０に通知して同回線状態をＭＭ１０９に記憶管理し、監視サーバ１０４側では、同ＭＭ１０９に記憶中の同回線状態を把握することができるようにしたが、端末装置１０１及び端末制御装置１０５間の回線状態を試験監視することができても、制御チャネルしか使用しないために、端末装置１０１及び端末制御装置１０５の正常性までは試験監視することができず、しかも、例えば端末制御装置１０５自体の試験機能が故障した場合には、端末装置１０１及び端末制御装置１０５間の回線状態をＣＣ１１０に通知することができず、監視サーバ１０４側では、交換機１０２内の正確な回線状態を把握することができないといった事態も考えられる。
【００１０】
また、従来の保守監視システム１００によれば、制御チャネルを使用して、中継線１０６に接続する対向側交換機との回線状態を中継線制御装置１０７側で試験監視し、これら対向側交換機及び中継線制御装置１０７間の回線状態をＣＣ１１０に通知して同回線状態をＭＭ１０９に記憶管理し、監視サーバ１０４側では、同ＭＭ１０９に記憶中の同回線状態を把握することができるようにしたが、対向側交換機及び中継線制御装置１０７間の回線状態を試験監視することができても、制御チャネルしか使用しないために、対向側交換機及び中継線制御装置１０７の正常性までは試験監視することができず、しかも、例えば中継線制御装置１０７自体の試験機能が故障した場合には、対向側交換機及び中継線制御装置１０７間の回線状態をＣＣ１１０に通知することができず、監視サーバ１０４側では、交換機１０２内の正確な回線状態を把握することができないといった事態も考えられる。
【００１１】
本発明は上記点に鑑みてなされたものであり、その目的とするところは、交換機内の回線状態だけでなく、通話チャネルを使用して装置自体の正常性をも監視サーバ側で正確に把握することができる保守監視システム及び通信システムを提供することにある。
【課題を解決するための手段】
【００１２】
上記目的を達成するために本発明の保守監視システムは、端末装置との通信インタフェースを司る端末制御装置と、この端末制御装置を収容接続する交換機とを有し、この交換機は、前記端末制御装置を切替接続する通話路スイッチと、この通話路スイッチを切替制御すると共に、前記交換機内の回線状態を監視し、この監視結果を保守データとして記憶する制御装置とを有する保守監視システムであって、前記通話路スイッチに切替接続される保守装置と、この保守装置と通信接続する監視サーバとを有し、前記保守装置は、前記通話路スイッチを経由して、前記端末制御装置と通信接続する端末側インタフェースと、前記端末装置に対する前記監視サーバからの試験コマンドを検出すると、前記端末側インタフェースを通じて前記端末制御装置経由で前記端末装置と通信接続することで制御チャネル及び通話チャネルを使用した通常通信を実行し、この通信結果を試験結果データとして前記監視サーバに伝送する保守側制御手段とを有するようにした。
【００１３】
また、本発明の保守監視システムは、前記通話路スイッチに切替接続され、対向側交換機と接続する中継線との通信インタフェースを司る中継線制御装置を有し、前記保守装置は、前記通話路スイッチを経由して、前記中継線制御装置と通信接続する端末側インタフェースを有し、前記保守側制御手段は、前記対向側交換機に対する前記監視サーバからの試験コマンドを検出すると、前記端末側インタフェースを通じて前記中継線制御装置及び前記中継線経由で前記対向側交換機と通信接続することで制御チャネル及び通話チャネルを使用した通常通信を実行し、この通信結果を試験結果データとして前記監視サーバに伝送するようにした。
【００１４】
また、本発明の保守監視システムは、前記保守装置が、前記通話路スイッチを経由して、前記制御装置と通信接続する制御装置側インタフェースを有し、前記保守側制御手段は、前記監視サーバからの保守要求コマンドを検出すると、前記制御装置側インタフェースを通じて前記制御装置と通信接続し、前記制御装置から前記保守データを収集し、この収集した保守データを前記監視サーバに伝送する保守側制御手段とを有するようにした。
【００１５】
本発明の通信システムは、中継線を通じて複数の交換機同士を接続し、各交換機は、他の交換機と接続する中継線との通信インタフェースを司る中継線制御装置を切替接続する通話路スイッチと、この通話路スイッチを切替制御する制御装置とを有し、各交換機同士の通信を所定の通信経路で実行する通信システムであって、交換機毎に配置され、この交換機内の通話路スイッチに切替接続される保守装置と、各交換機の保守装置と通信接続する監視サーバとを有し、前記保守装置は、前記通話路スイッチを経由して、前記中継線制御装置と通信接続する端末側インタフェースと、前記中継線制御装置の中継線に接続する対向側交換機に対する前記監視サーバからの試験コマンドを検出すると、前記端末側インタフェースを通じて前記中継線制御装置及び前記中継線経由で前記対向側交換機と通信接続することで制御チャネル及び通話チャネルを使用した通常通信を実行し、この通信結果を試験結果データとして監視サーバに伝送する保守側制御手段とを有し、前記監視サーバは、各保守装置からの試験結果データを収集すると、これら収集した試験結果データに基づき、交換機同士の通信経路の障害を検出したか否か判定する障害判定手段と、この障害判定手段にて交換機同士の通信経路の障害を検出したと判定されると、同障害を検出した通信経路を閉塞すべく、前記保守装置を通じて同交換機内の制御装置に閉塞コマンドを伝送するサーバ側制御手段とを有するようにした。
【００１６】
また、本発明の通信システムは、中継線を通じて複数の交換機同士を接続し、各交換機は、他の交換機と接続する中継線との通信インタフェースを司る中継線制御装置を切替接続する通話路スイッチと、この通話路スイッチを切替制御すると共に、前記中継線制御装置及び前記中継線間の回線状態を監視し、この監視結果を保守データとして記憶する制御装置とを有し、各交換機同士の通信を所定の通信経路で実行する通信システムであって、交換機毎に配置され、同交換機内の通話路スイッチに切替接続される保守装置と、各交換機の保守装置と通信接続する監視サーバとを有し、前記保守装置は、前記通話路スイッチを経由して、前記制御装置と通信接続する制御装置側インタフェースと、前記監視サーバからの保守要求コマンドを検出すると、前記制御装置側インタフェースを通じて前記制御装置と通信接続し、前記制御装置から前記保守データを収集し、この収集した保守データを前記監視サーバに伝送する制御手段とを有し、前記監視サーバは、各交換機の保守装置からの保守データを収集すると、これら収集した保守データに基づき、交換機同士の通信経路の障害を検出したか否か判定する障害判定手段と、この障害判定手段にて交換機同士の通信経路の障害を検出したと判定されると、同障害を検出した通信経路を閉塞すべく、前記保守装置を通じて同交換機内の制御装置に閉塞コマンドを伝送するサーバ側制御手段とを有するようにした。
【００１７】
また、本発明の通信システムは、前記サーバ側制御手段が、前記障害判定手段にて交換機同士の通信経路の障害を検出したと判定されると、同障害を検出した通信経路の迂回路を探索し、この探索結果に基づき、この迂回路を同交換機同士の通信経路として設定すべく、前記保守装置を通じて各交換機の制御装置に迂回路設定コマンドを伝送するようにした。
【００１８】
本発明の通信システムは、前記サーバ側制御手段が、交換機同士の通信経路毎に迂回路を予め記憶管理した迂回路記憶手段と、前記障害判定手段にて交換機同士の通信経路の障害を検出したと判定されると、この障害を検出した通信経路に対応する迂回路を前記迂回路記憶手段から探索する迂回路探索手段とを有するようにした。
【発明の効果】
【００１９】
上記のように構成された本発明の保守監視システムによれば、通話路スイッチに接続する保守装置を備え、保守装置側では、端末装置に対する監視サーバからの試験コマンドを検出すると、保守装置内の端末側インタフェースを通じて、通話路スイッチ及び端末制御装置経由で前記端末装置と通信接続することで制御チャネル及び通話チャネルを使用した通常通信を実行し、この通信結果を試験結果データとして監視サーバに伝送するようにしたので、監視サーバ側では、保守装置、通話路スイッチ、端末制御装置及び端末装置間の回線状態はもちろんのこと、通話チャネルを使用することで、通話路スイッチ、端末制御装置及び端末装置の正常性を正確に把握することができる。
【００２０】
本発明の保守監視システムによれば、保守装置側では、対向側交換機に対する監視サーバからの試験コマンドを検出すると、前記端末側インタフェースを通じて、通話路スイッチ、中継線制御装置及び中継線経由で前記対向側交換機と通信接続することで制御チャネル及び通話チャネルを使用した通常通信を実行し、この通信結果を試験結果データとして監視サーバに伝送するようにしたので、監視サーバ側では、保守装置、通話路スイッチ、中継線制御装置、中継線及び対向側交換機間の回線状態はもちろんのこと、通話チャネルを使用することで、通話路スイッチ、中継線制御装置、対向側交換機の正常性を正確に把握することができる。
【００２１】
本発明の保守監視システムによれば、保守装置側では、監視サーバからの保守要求コマンドを検出すると、この保守装置内の制御装置側インタフェースを通じて前記制御装置と通信接続し、前記制御装置から保守データを収集し、この収集した保守データを前記監視サーバに伝送するようにしたので、監視サーバ側では、交換機内の保守データを正確に把握することができる。
【００２２】
また、本発明の通信システムによれば、交換機同士の通信を所定の通信経路で実行する場合、監視サーバ側では、各交換機に配置された保守装置からの試験結果データを収集し、各交換機の試験結果データに基づき、交換機同士の通信経路の障害を検出したか否かを判定し、交換機同士の通信経路の障害を検出したと判定されると、同障害を検出した通信経路を閉塞すべく、前記保守装置を通じて同交換機内の制御装置に閉塞コマンドを伝送するようにしたので、交換機同士の通信経路に障害が発生したとしても、自動的に同通信経路を閉塞することができる。
【００２３】
本発明の通信システムによれば、交換機同士の通信を所定の通信経路で実行する場合、監視サーバ側では、各交換機に配置された保守装置を通じて、同交換機の制御装置に記憶された保守データを収集し、各交換機の保守データに基づき、交換機同士の通信経路の障害を検出したか否かを判定し、交換機同士の通信経路の障害を検出したと判定されると、同障害を検出した通信経路を閉塞すべく、前記保守装置を通じて同交換機内の制御装置に閉塞コマンドを伝送するようにしたので、交換機同士の通信経路に障害が発生したとしても、自動的に同通信経路を閉塞することができる。
【００２４】
また、本発明の通信システムによれば、交換機同士の通信経路の障害を検出したと判定されると、同障害を検出した通信経路の迂回路を探索し、この探索結果に基づき、この迂回路を同交換機同士の通信経路として設定すべく、前記保守装置を通じて各交換機の制御装置に迂回路設定コマンドを伝送するようにしたので、交換機同士の通信経路に障害が発生したとしても、同障害通信経路に代わる迂回路を自動的に設定することができる。
【００２５】
本発明の通信システムによれば、交換機同士の通信経路毎に迂回路を予め記憶管理しておき、交換機同士の通信経路の障害を検出したと判定されると、この障害を検出した通信経路に対応する迂回路を迂回路記憶手段から探索するようにしたので、交換機同士の通信経路に障害が発生したとしても、同障害通信経路に代わる迂回路を迅速に設定することができる。
【発明を実施するための最良の形態】
【００２６】
以下、図面に基づいて本発明の実施の形態を示す保守監視システムについて説明する。図１は本実施の形態を示す保守監視システム内部の概略構成を示すブロック図である。
【００２７】
図１に示す保守監視システム１は、交換機２毎に配置され、交換機２は、例えば電話機等の端末装置３との通信インタフェースを司る端末制御装置４と、対向側交換機２と接続する中継線５との通信インタフェースを司る中継線制御装置６と、ＬＡＮ７に接続する保守装置８と、これら端末制御装置４、中継線制御装置６及び保守装置８を切替接続するＴＳＷ９と、この交換機２に関わる各種プログラムを記憶管理するＭＭ１０と、この交換機２全体を制御するＣＣ１１とを有している。
【００２８】
また、保守監視システム１は、交換機２内の保守装置８とＬＡＮ接続し、同交換機２内の各種情報を一括管理する監視サーバ１２を備えている。
【００２９】
保守装置８は、ＬＡＮ７との通信インタフェースを司る保守側ＬＡＮインタフェース２１と、ＴＳＷ９を経由して中継線制御装置６又は端末制御装置４と通信接続する端末側インタフェース２２と、ＴＳＷ９を経由してＣＣ１１と通信接続するＣＣ側インタフェース２３と、ＬＡＮ７経由で監視サーバ１２からのコマンドに対応する各種プログラムを記憶管理したコマンドＲＯＭ２４と、この保守装置８全体を制御する保守側ＣＰＵ２５とを有している。
【００３０】
監視サーバ１２は、ＬＡＮ７との通信インタフェースを司るサーバ側ＬＡＮインタフェース３１と、保守装置８を通じて交換機２内の通信試験を実行する通信試験部３２と、保守装置８を通じて交換機２内の障害を判定する障害判定部３３と、様々な情報を記憶管理する保守データベース３４と、この監視サーバ１２全体を制御するサーバ側ＣＰＵ３５とを有している。
【００３１】
監視サーバ１２内の通信試験部３２は、各交換機２内の保守装置８を通じて交換機２内の通信試験を実行し、制御チャネル及び通話チャネルを使用して、その通信試験結果を試験結果情報として取得するものである。
【００３２】
監視サーバ１２内の障害判定部３３は、試験結果情報及び、各交換機２内のＣＣ１１に記憶中の保守データに基づき、交換機２内の障害を判定し、その監視結果を障害履歴情報として取得すると共に、交換機２同士の通信経路の障害を検出すると、同通信経路の閉塞を当該交換機２に指示し、この閉塞情報を取得するものである。
【００３３】
保守データベース３４は、交換機２毎に障害履歴情報、閉塞情報、保守データ、試験結果データ、迂回路情報を記憶管理している。この迂回路情報は、交換機２同士の通信経路に対応した迂回路となる通信経路や予備回線等の情報に相当するものである。尚、請求項記載の制御装置はＣＣ１１、制御装置側インタフェースはＣＣ側インタフェース２３、保守側制御手段は保守側ＣＰＵ２５、障害判定手段は障害判定部３３、サーバ側制御手段及び迂回路探索手段はサーバ側ＣＰＵ３５、迂回路記憶手段は保守データベース３４に相当するものである。
【００３４】
次に本実施の形態を示す保守監視システム１の動作について説明する。
【００３５】
まず、交換機２内のＣＣ１１が交換機２内の回線状態の保守データを取得するまでの動作について説明する。
【００３６】
中継線制御装置６では、制御チャネルを使用して中継線５を経由して対向側交換機２との回線状態を認識する。
【００３７】
また、端末制御装置４では、制御チャネルを使用して端末装置３との回線状態を認識する。
【００３８】
ＣＣ１１では、制御チャネルを使用して中継線制御装置６及び端末制御装置４から回線状態の認識結果を取得すると共に、端末制御装置４及び中継線制御装置６の正常性を認識し、これら認識結果を保守データとしてＭＭ１０に記憶管理する。
【００３９】
次に交換機２側のＭＭ１０に記憶中の保守データを監視サーバ１２側で取得するまでの動作について説明する。
【００４０】
保守装置８の保守側ＣＰＵ３５は、ＬＡＮ７経由で監視サーバ１２から保守要求コマンドを検出すると、この保守要求コマンドに対応したプログラムをコマンドＲＯＭ２４から読み出し、この読み出したプログラムに基づき、ＣＣ１１に対して保守データを要求するための処理動作を実行する。
【００４１】
保守側ＣＰＵ３５は、ＣＣ側インタフェース２３を通じてＴＳＷ９の制御チャネル経由で交換機２側のＣＣ１１にアクセスする。
【００４２】
ＣＣ１１では、保守側ＣＰＵ３５の保守データ要求アクセスを検出すると、ＭＭ１０に記憶中の保守データをＴＳＷ９経由で保守装置８内のＣＣ側インタフェース２３に伝送する。
【００４３】
保守装置８の保守側ＣＰＵ３５は、ＣＣ側インタフェース２３を通じて保守データを取得すると、ＣＣ１１との正常性を認識し、この認識結果を含めた保守データをＬＡＮ７経由で監視サーバ１２に伝送する。
【００４４】
監視サーバ１２は、保守装置８からＬＡＮ７経由で保守データを受信すると、この保守データを保守データベース３４内に記憶管理することになる。
【００４５】
次に監視サーバ１２が端末装置３に対して試験通信を実行する場合の動作について説明する。
【００４６】
監視サーバ１２は、試験通信部３２を通じて複数の端末装置３の内、任意の端末装置３に対する試験通信コマンドを実行する。
【００４７】
保守装置８は、ＬＡＮ７経由で試験通信コマンドを検出すると、コマンドＲＯＭ２４から同端末装置３に対する試験通信コマンドに対応したプログラムを読み出し、端末側インタフェース２２経由で試験通信対象の端末装置３への接続要求を実行すべく、ＴＳＷ９経由でＣＣ１１に対して呼制御信号を通知する。
【００４８】
ＣＣ１１は、端末装置３への接続要求に関わる呼制御信号を検出すると、同端末装置３の端末制御装置４に対して着信制御信号を通知する。
【００４９】
端末制御装置４は、ＣＣ１１からの着信制御信号を検出すると、同端末装置３との回線状態が正常の場合、同着信制御信号を端末装置３に通知する。
【００５０】
端末装置３は、着信制御信号を検出すると、応答信号を端末制御装置４経由でＣＣ１１に通知する。ＣＣ１１は、端末装置３からの応答信号を検出すると、保守装置８内の端末側インタフェース２２と端末制御装置４とを通信接続すべく、ＴＳＷ９を切替接続する。
【００５１】
保守装置８は、端末側インタフェース２２、ＴＳＷ９及び端末制御装置４経由で、端末装置３と通信接続することで、回線状態はもちろんのこと、通話チャネルを使用して端末装置３、端末制御装置４、ＴＳＷ９の正常性を確認することができる。
【００５２】
保守装置８は、この試験結果をＬＡＮ７経由で監視サーバ１２に通知する。監視サーバ１２は、ＬＡＮ７経由で保守装置８から端末装置３に対する試験通信結果を受信すると、この試験通信結果を保守データベース３４に記憶管理することになる。
【００５３】
また、監視サーバ１２が対向側交換機２に対して試験通信を実行する場合の動作について説明する。
【００５４】
監視サーバ１２は、試験通信部３２を通じて任意の対向側交換機２に対する試験通信コマンドを実行する。
【００５５】
保守装置８は、ＬＡＮ７経由で試験通信コマンドを検出すると、コマンドＲＯＭ２４から対向側交換機２に対する試験通信コマンドに対応したプログラムを読み出し、端末側インタフェース２２経由で試験通信対象の対向側交換機２への接続要求を実行すべく、ＴＳＷ９経由でＣＣ１１に対して呼制御信号を通知する。
【００５６】
ＣＣ１１は、対向側交換機２への接続要求に関わる呼制御信号を検出すると、対向側交換機２と接続する中継線５の中継線制御装置６に対して着信制御信号を通知する。
【００５７】
中継線制御装置６は、ＣＣ１１からの着信制御信号を検出すると、同中継線５との回線状態が正常の場合、同着信制御信号を対向側交換機２に通知する。
【００５８】
対向側交換機２は、着信制御信号を検出すると、応答信号を中継線５及び中継線制御装置６経由でＣＣ１１に通知する。ＣＣ１１は、対向側交換機２からの応答信号を検出すると、保守装置８内の端末側インタフェース２２と中継線制御装置６とを通信接続すべく、ＴＳＷ９を切替接続する。
【００５９】
保守装置８は、端末側インタフェース２２、ＴＳＷ９、中継線制御装置６及び中継線５経由で、対向側交換機２と通信接続することで、回線状態はもちろんのこと、通話チャネルを使用して対向側交換機２、中継線５、中継線制御装置６及びＴＳＷ９の正常性を確認することができる。
【００６０】
保守装置８は、この試験結果をＬＡＮ７経由で監視サーバ１２に通知する。監視サーバ１２は、ＬＡＮ７経由で保守装置８から対向側交換機２に対する試験通信結果を受信すると、この試験通信結果を試験結果データとして保守データベース３４に記憶管理することになる。
【００６１】
本実施の形態によれば、ＴＳＷ９に接続する保守装置８を備え、保守装置８側では、端末装置３に対する監視サーバ１２からの試験コマンドを検出すると、保守装置８内の端末側インタフェース２２を通じて、ＴＳＷ９及び端末制御装置４経由で端末装置３と通信接続することで制御チャネル及び通話チャネルを使用した通常通信を実行し、この通信結果を試験結果データとして監視サーバ１２に伝送するようにしたので、監視サーバ１２側では、保守装置８、ＴＳＷ９、端末制御装置４及び端末装置３間の回線状態はもちろんのこと、通話チャネルを使用することで、ＴＳＷ９、端末制御装置４及び端末装置３の正常性を正確に把握することができる。
【００６２】
本実施の形態によれば、保守装置８側では、対向側交換機２に対する監視サーバ１２からの試験コマンドを検出すると、端末側インタフェース２２を通じて、ＴＳＷ９、中継線制御装置６及び中継線５経由で対向側交換機２と通信接続することで制御チャネル及び通話チャネルを使用した通常通信を実行し、この通信結果を試験結果データとして監視サーバ１２に伝送するようにしたので、監視サーバ１２側では、保守装置８、ＴＳＷ９、中継線制御装置６、中継線５及び対向側交換機２間の回線状態はもちろんのこと、通話チャネルを使用することで、ＴＳＷ９、中継線制御装置６、対向側交換機２の正常性を正確に把握することができる。
【００６３】
本実施の形態によれば、保守装置８側では、監視サーバ１２からの保守要求コマンドを検出すると、この保守装置８内のＣＣ側インタフェース２３を通じてＣＣ１１と通信接続し、ＣＣ１１からＭＭ１０に記憶中の保守データを収集し、この収集した保守データを監視サーバ１２に伝送するようにしたので、監視サーバ１２側では、交換機２内の保守データを正確に把握することができる。
【００６４】
尚、上記実施の形態においては、図１に示すように一台の交換機を例に挙げて説明したが、図２に示すように複数台、例えば４台の交換機を組み合わせた場合、次に説明するような態様も考えられることになる。図２は本発明の他の実施の形態を示す通信システム全体の概略構成を示すブロック図である。尚、図１に示す保守監視システムと同一の構成については、同一符号を付すことで、その重複する構成及び動作の説明については省略する。
【００６５】
図２に示すシステムは、Ａ局〜Ｄ局までの４台の交換機２（２Ａ，２Ｂ，２Ｃ，２Ｄ）を有し、例えばＡ局→Ｂ局→Ｃ局→Ｄ局→Ａ局→…といった所定の通信経路で接続され、監視サーバ１２は、各交換機２（２Ａ，２Ｂ，２Ｃ，２Ｄ）の保守装置８（８Ａ，８Ｂ，８Ｃ，８Ｄ）にＬＡＮ７経由で通信接続されている。監視サーバ１２では、複数の交換機２同士の通信経路を各交換機２に接続する保守装置８を通じて通信経路の障害を収集することができる。
【００６６】
監視サーバ１２は、例えばＢ局→Ｃ局→Ｄ局を通常の通信経路とし、Ｃ局の保守データ及び試験結果データに基づき、Ｃ局の保守装置８Ｃを通じてＣ局の交換機２Ｃの障害を検出すると、このＣ局の交換機２Ｃと接続するＢ局の中継線制御装置６１Ｂ及びＤ局の中継線制御装置６１Ｄを閉塞すべく、Ｂ局の保守装置８Ｂ及びＤ局の保守装置８Ｄに閉塞コマンドを通知する。
【００６７】
Ｂ局の保守装置８Ｂは、ＬＡＮ７経由で監視サーバ１２からの閉塞コマンドを検出すると、この閉塞コマンドに対応したプログラムを読み出し、同保守装置８Ｂ内の端末側インタフェース２２を通じて同交換機２Ｂ内のＣＣ１１Ｂに同中継線制御装置６１Ｂの閉塞を指示し、Ｂ局の中継線制御装置６１Ｂ及びＣ局の中継線制御装置６１Ｃ間の通信経路を閉塞する。
【００６８】
また、Ｄ局の保守装置８Ｄは、ＬＡＮ７経由で監視サーバ１２からの閉塞コマンドを検出すると、この閉塞コマンドに対応したプログラムを読み出し、同保守装置８Ｄ内の端末側インタフェース２２を通じて同交換機２Ｄ内のＣＣ１１Ｄに同中継線制御装置６１Ｄの閉塞を指示し、Ｄ局の中継線制御装置６１Ｄ及びＣ局の中継線制御装置６２Ｃ間の通信経路を閉塞する。
【００６９】
監視サーバ１２は、Ｂ局の交換機２Ｂの中継線制御装置６１Ｂ及びＣ局の交換機２Ｃの中継線制御装置６１Ｃ間の閉塞情報及び、Ｄ局の交換機２Ｄの中継線制御装置６１Ｄ及びＣ局の交換機２Ｃの中継線制御装置６２Ｃ間の閉塞情報を保守データベース３４に記憶管理する。
【００７０】
更に監視サーバ１２は、Ｂ局→Ｃ局→Ｄ局の通信経路に対応した迂回路（Ｂ局→Ａ局→Ｄ局の通信経路）を保守データベース３４に記憶中の迂回路情報として読み出し、Ａ局の保守装置８Ａ、Ｂ局の保守装置８Ｂ及びＤ局の保守装置８Ｄに迂回路設定コマンドを通知する。
【００７１】
Ｂ局の保守装置８Ｂは、ＬＡＮ７経由で監視サーバ１２から迂回路設定コマンドを検出すると、この迂回路設定コマンドに対応したプログラムを読み出し、保守装置８Ｂ内の端末側インタフェース２２を通じて同交換機２Ｂ内のＣＣ１１Ｂに迂回路情報を設定する。
【００７２】
Ｄ局の保守装置８Ｄは、ＬＡＮ７経由で監視サーバ１２から迂回路設定コマンドを検出すると、この迂回路設定コマンドに対応したプログラムを読み出し、保守装置８Ｄ内の端末側インタフェース２２を通じて同交換機２Ｄ内のＣＣ１１Ｄに迂回路情報を設定する。
【００７３】
Ａ局の保守装置８Ａは、ＬＡＮ７経由で監視サーバ１２から迂回路設定コマンドを検出すると、この迂回路設定コマンドに対応したプログラムを読み出し、保守装置８Ａ内の端末側インタフェース２２を通じて同交換機２Ａ内のＣＣ１１Ａに迂回路情報を設定する。
【００７４】
従って、Ｂ局→Ｃ局→Ｄ局の通信経路でＣ局に障害が発生したとしても、Ｃ局の通信経路を閉塞し、同通信経路に対応した迂回路情報を保守データベース３４から読み出し、この迂回路を形成することになる。
【００７５】
本実施の形態によれば、交換機２同士の通信を所定の通信経路で実行する場合、監視サーバ１２側では、各交換機２に配置された保守装置８からの試験結果データを収集し、各交換機２の試験結果データに基づき、交換機２同士の通信経路の障害を検出したか否かを判定し、交換機２同士の通信経路の障害を検出したと判定されると、同障害を検出した通信経路を閉塞すべく、保守装置８を通じて同交換機２内のＣＣ１１に閉塞コマンドを伝送するようにしたので、交換機２同士の通信経路に障害が発生したとしても、自動的に同通信経路を閉塞することができる。
【００７６】
また、本実施の形態によれば、交換機２同士の通信を所定の通信経路で実行する場合、監視サーバ１２側では、各交換機２に配置された保守装置８を通じて、同交換機２のＭＭ１０に記憶された保守データを収集し、各交換機２の保守データに基づき、交換機２同士の通信経路の障害を検出したか否かを判定し、交換機２同士の通信経路の障害を検出したと判定されると、同障害を検出した通信経路を閉塞すべく、保守装置８を通じて同交換機２内のＣＣ１１に閉塞コマンドを伝送するようにしたので、交換機２同士の通信経路に障害が発生したとしても、自動的に同通信経路を閉塞することができる。
【００７７】
また、本実施の形態によれば、交換機２同士の通信経路の障害を検出したと判定されると、同障害を検出した通信経路の迂回路を探索し、この探索結果に基づき、この迂回路を同交換機２同士の通信経路として設定すべく、保守装置８を通じて各交換機２のＣＣ１１に迂回路設定コマンドを伝送するようにしたので、交換機２同士の通信経路に障害が発生したとしても、同障害通信経路に代わる迂回路を自動的に設定することができる。
【００７８】
本実施の形態によれば、交換機２同士の通信経路毎に迂回路を予め記憶管理しておき、交換機２同士の通信経路の障害を検出したと判定されると、この障害を検出した通信経路に対応する迂回路を保守データベース３４から探索するようにしたので、交換機２同士の通信経路に障害が発生したとしても、同障害通信経路に代わる迂回路を迅速に設定することができる。
【産業上の利用可能性】
【００７９】
本発明の保守監視システムによれば、監視サーバ側では、保守装置、通話路スイッチ、端末制御装置及び端末装置間の回線状態はもちろんのこと、通話チャネルを使用することで、通話路スイッチ、端末制御装置及び端末装置の正常性を正確に把握することができるため、交換機内の障害を監視する障害監視システムに有用である。
【図面の簡単な説明】
【００８０】
【図１】本発明の実施の形態を示す保守監視システム内部の概略構成を示すブロック図である。
【図２】他の実施の形態を示す通信システム全体の概略構成を示すブロック図である。
【図３】従来の保守監視システム内部の概略構成を示すブロック図である。
【符号の説明】
【００８１】
１  保守監視システム
２  交換機
３  端末装置
４  端末制御装置
５  中継線
６  中継線制御装置
８  保守装置
９  通話路スイッチ（ＴＳＷ）
１１  中央制御装置（ＣＣ：制御装置）
１２  監視サーバ
２２  端末側インタフェース
２３  ＣＣ側インタフェース(制御装置側インタフェース)
２５  保守側ＣＰＵ(保守側制御手段)
３３  障害判定部(障害判定手段)
３４  保守データベース(迂回路記憶手段)
３５  サーバ側ＣＰＵ（サーバ側制御手段、迂回路探索手段）
【図１】
2006140895.tif 000003
【図２】
2006140895.tif 000004
【図３】
2006140895.tif 000005